(57)【要約】【課題】格子形状に形成するリブからなる格子状部材と前記格子状部材の上に載置される平板で構成される格子パネルにおいて、従前のとおり建物構造体等の取付部に対し、格子パネルが外れることがない十分な強度で固定でき、また取付金具がパネル上に露出して外観を損なわれないという条件を満たし、また現場における平板と格子状部材との位置合せが容易である組立治具および組立方法の提供を目的とする。【解決手段】格子用パネルの組立用治具は平板の角部の裏面を支える底面部片と底面部片端辺から凸状に突出したＬ字状の係止部と底辺部辺の裏側に格子状部材の格子の孔部に嵌合する台座部を有する。【選択図】図１
2007205031.tif 000002
【特許請求の範囲】
【請求項１】
格子状部材の片方の平面に前記平面とほぼ同じ平面形状を有する平板を貼着させて格子パネルを組み立てる際に、平板の角部を仮支持するために使用する格子パネルの組立用治具であって、前記治具は前記平板の角部の裏面を支える底面部片と、前記平板の角部の２辺の端面と当接して係止する底面部片端辺から凸状に突出した係止部と、を有し、底辺部片の裏側には格子状部材の角部側の格子の孔部に嵌合する台座部とを有することを有することを特徴とする格子パネルの組立用治具。
【請求項２】
前記係止部はＬ字状であり、前記台座部は、格子状部材の１つの最も角部側の格子の孔部に嵌合する台座部であることを特徴とする請求項１に記載の格子パネルの組立用治具。
【請求項３】
格子状部材を躯体に固定した後、前記格子状部材の片方の平面に前記平面とほぼ同じ平面形状を有する平板を貼付けて格子パネルを組み立てる方法であって、
固定された前記格子状部材のリブの上面に接着性の部材を貼着させる工程と、
請求項１に記載の治具の台座部を前記格子部材の角部側の格子の孔部に、前記係止部が前記角部側の外方になるようにして嵌合させる工程と、
前記治具の底面部片に平板の角部を位置させるとともに、前記治具の係止部に平板の１つの角部の２辺の端面を当接させ、平板の角部を仮支させながら、前記接着性の部材を介して前記平板の一部分を貼着させる工程と、
前記平板の下方から前記治具を抜脱させ、前記角部を前記接着性の部材を介して前記平板の残りの部分を貼着させる工程と、
を有することを特徴とする格子パネルの組立方法。
【請求項４】
前記組立用治具の台座を嵌合させる前記孔部は、前記格子状部材の１つの最も角部側の格子の孔部であることを特徴とする請求項３に記載の格子パネルの組立方法。
【発明の詳細な説明】
【技術分野】
【０００１】
本発明は、建物の床材や階段の踏板材等に用いられる格子パネルを建物構造体等の躯体に取り付ける際の格子パネルの組立治具および組立方法に関する。
【背景技術】
【０００２】
建物の床材や階段の踏板材等に用いられる格子パネルとしては、平板と格子状部材との組み合わせで構成されたものが提案されている。この格子パネル（特に透光性を有する材料の平板と格子状部材の組み合わせである格子パネル）の従前の躯体への取付方法について具体的に説明する。
【０００３】
図６〜８は、格子パネルの取付方法の説明図である。まず、図６に示すように格子状部材２の格子内に凹型断面の取付金具やブロック状の留め具等の係合具５（以下、係合具という）を嵌挿し、この係合具５を躯体の取付部８とボルト６等の止着手段によって連結して格子状部材３を固定する（例えば、特許文献１参照）。次に、図７に示すように格子状部材３の取付部８と反対側の面に両面接着テープ７を貼り付ける。最後に、図８に示すように平板４を両面接着テープ７を介在して格子状部材３に止着する。
【０００４】
この取付方法によれば、十分な取付強度が得られ、また取付金具がパネル上に露出して外観を損なうことなく格子パネルを固定できる。しかし、上記取付方法によれば、格子内を利用して格子状部材３を固定させるため、取付現場において格子状部材３を固定した後でしか平板４と格子状部材３とを組み立てることができないので、現場における作業が多く、また平板４と格子状部材３との組立の際の位置合せが現場作業では困難であるので、両面接着テープロスや平板の仕損が多くなる上、組立て時間が掛かるという欠点があった。
【特許文献１】特開２００５−２３２８３３号公報
【発明の開示】
【発明が解決しようとする課題】
【０００５】
本発明は、上記の事情に鑑みてなされたものであって、従前のとおり建物構造体等の取付部に対し、格子パネルが外れることがない十分な強度で固定でき、また取付金具がパネル上に露出して外観を損なわれないという条件を満たし、また現場における平板と格子状部材との位置合せが容易である組立治具および組立方法の提供を目的とする。
【課題を解決するための手段】
【０００６】
前記目的を達成するため、請求項１の発明では、格子状部材の片方の平面に前記平面とほぼ同じ平面形状を有する平板を貼着させて格子パネルを組み立てる際に、平板の角部を仮支持するために使用する格子パネルの組立用治具であって、前記治具は前記平板の角部の裏面を支える底面部片と、前記平板の角部の２辺の端面と当接して係止する底面部片端辺から凸状に突出した係止部と、を有し、底辺部辺の裏側には格子状部材の角部側の格子の孔部に嵌合する台座部とを有することを有することを特徴とする格子パネルの組立用治具を提供する。
【０００７】
請求項２の発明では、請求項１記載の前記係止部はＬ字状であり、前記台座部は、格子状部材の１つの最も角部側の格子の孔部に嵌合する台座部であることを特徴とする。
【０００８】
請求項３の発明では、格子状部材を躯体に固定した後、前記格子状部材の片方の平面に前記平面とほぼ同じ平面形状を有する平板を貼付けて格子パネルを組み立てる方法であって、固定された前記格子状部材のリブの上面に接着性の部材を貼着させる工程と、請求項１に記載の治具の台座部を前記格子部材の角部側の格子の孔部に、前記係止部が前記角部側の外方になるようにして嵌合させる工程と、前記治具の底面部片に平板の角部を位置させるとともに、前記治具の係止部に平板の１つの角部の２辺の端面を当接させ、平板の角部を仮支させながら、前記接着性の部材を介して前記平板の一部分を貼着させる工程と、
前記平板の下方から前記治具を抜脱させ、前記角部を前記接着性の部材を介して前記平板の残りの部分を貼着させる工程と、を有することを特徴とする格子パネルの組立方法を提供する。
【０００９】
請求項４の発明では、請求項３に記載の前記組立用治具の台座を嵌合させる前記孔部は、前記格子状部材の１つの最も角部側の格子の孔部であることを特徴とする。
【発明の効果】
【００１０】
請求項１、３の発明によれば、格子用パネルの組立用治具は平板の角部の裏面を支える底面部片と底面部片端辺から凸状に突出した係止部を有するので、平板を格子状部材に貼り付ける組立工程において、平板の角部を格子状部材に合わせる際、平板の１つの角部を組立治具の底面部辺に仮支持させつつ、既に格子状部材上面に施された接着部材に平板底部を接触させること無く係止部に平板の角部の２辺を当接させて、容易に位置決めができる。また、格子用パネルの組立用治具は、底辺部辺の裏側に格子の孔部に嵌合する台座部を有するので、格子状部材に容易に取り付けることができ、格子状部材に対して平板を繰り返し精度よく位置きめができる。
【００１１】
これにより、位置決めがずれて一度両面接着テープに貼り付いた平板を両面接着テープから剥したりすることがないので、平板を両面接着テープから剥がす際に生じる両面接着テープのロスや平板が損傷したりする仕損がない。また位置決め作業が容易で、かつ位置決めミスによるやり直しがないので、施工現場での作業時間の短縮が図れる。
【００１２】
請求項２、４の発明によれば、格子用パネルの組立用治具の係止部はＬ字状であり、前記組立用治具を勘合させる孔部が格子状部材の１つの最も角部側の格子の孔部でるので、組立用治具が1つでよく、より容易に作業ができる。
【発明を実施するための最良の形態】
【００１３】
次に、本発明の格子パネルの組立用治具と格子パネルの組立方法を実施例に基づいて詳細に説明する。
【００１４】
図５は、本発明に係る格子パネルの組立断面図である。図５に示すように、格子パネル１は格子形状に形成するリブ２からなる格子状部材３と格子状部材３の上に載置される平板４で構成され、平板４は両面接着テープ７を介在して格子状部材３の表側全面に止着される。
【００１５】
格子パネル１の材料は金属材料でも樹脂材料でもよいが、格子状部材３をＦＲＰ（ガラス繊維強化プラスチック）、平板４をポリカーボネートで構成して採光性や目隠し性を考慮した床材や踏板材を形成する場合に、本発明は特に好適である。
【００１６】
この格子パネル１は、建物の床材や階段の踏板材として使用されるが、他に壁材、間仕切り、天井材、あるいはテーブル等の板材として用いることができる。さらに、格子パネル１を金属で形成し、排水溝等の蓋材として用いることもできる。本発明に係る格子パネル１の組立用治具および組立方法は、このような用途のすべての格子パネル１に対して適用可能である。なお、格子パネル１の代表的な寸法は、例えば高さＨが４０ｍｍであり、リブ３の上面幅Ａが５ｍｍ、下面幅Ｂが７ｍｍ、格子の上面幅Ｃが３５ｍｍ、下面幅Ｄが３３ｍｍである。なお、本実施例は格子の孔部の形状が矩形であるが、孔部の形状は多角形でも円形でも良い。
【００１７】
以下添付図面に従って、本発明の格子パネルの組立用治具の好ましい実施の形態について詳説する。
【００１８】
図１、２は本発明に係る格子パネルの組立用治具と格子パネルの組立方法の概略投射図および概略断面図であり、図３は本発明に係る格子パネル組立用治具の詳細図、図４は本発明に係る格子パネルの別の組立用治具の投射図である。
【００１９】
図３に示すように組立用治具９は、格子状部材３の上に載置ざれる平板４の角部の裏面を仮支持する底面部片１０と、平面４の２辺の端面と当接して平板４を係止する底面部片１０の端辺から凸状に突出したＬ字状の係止部１１と、底辺部辺１０の裏側に格子状部材１の１つ格子の孔部に嵌合させ組立用治具９を格子用部材３に対して所定の位置に固定する台座部１２とから構成される。
【００２０】
底面部片１０の厚みＥは、１ｍｍ〜１０ｍｍが好ましい。これは、組立用治具９を使用して平板４を格子状部材の上に載置する場合、厚みが１ｍｍ以下であると、組立用治具９の直近まで平板４が格子状部材３に貼り付いて、組立用治具９を取り外すことが困難となり、１０ｍｍ以上であると、平板４が格子部材３に貼り付く面積が小さくなり、組立用治具９を取り外す際に平板４がずれることがあるからである。
【００２１】
また、係止部１１の高さＨは１０ｍｍ以上が好ましい。これは、平板４の厚みは３ｍｍ〜１５ｍｍであるので、特に格子パネルのサイズが大きい場合、係止部１１の高さＨが１０ｍｍ未満であると平板４の角部を係止部に当接させて位置決めするのが容易でなく、また平板を格子状部材に貼り付ける時に平板の角部が係止部から外れて平板が位置ずれすることがある。
【００２２】
台座部１２の厚みＦは、３ｍｍ〜１０ｍｍが好ましく、係止部１１の厚みＧは１ｍｍ〜１０ｍｍが好ましい。これらは、組立用治具９の材料の種類による材料の剛性の問題および組立用治具９と格子パネルの製作精度により決定される。
【００２３】
すなわち、台座部１２の厚みＦは、例えば台座部１２の外形寸法と組立用治具を嵌合させる格子状部材３の格子の孔部の内径寸法のクリアランスが各０．５ｍｍ〜１ｍｍの範囲であれば、３ｍｍで製作でき、これにより、後述する組立用治具９の取り外しが容易になる。また、係止部１１の厚みＧは、例えば組立用治具９の材料の剛性が高い場合は、薄く作ることができ、これにより、格子パネル１を取り付ける躯体８の取り付けられている壁のより際まで格子パネル１を寄せて取り付けることができる。
【００２４】
組立用治具１０の材料は金属材料でも樹脂材料でもよいが、適度の強度があり、さび等の腐食が発生しないことが好ましいので、金属材料であれば例えばＡＬ（アルミニウム）、ＳＵＳ（ステンレス）、めっき処理したＳＳ（鉄）等、樹脂材料であれば例えばＰＡ（ポリアミド）、ＢＭＣ（ＦＲＰの一種であり、不飽和ポリエステルが主成分の黒色樹脂）、ＡＢＳ（アクリロニトリル・ブタジエン・スチレン）、ＰＣ（ポリカーボネート）、ＰＰ（ポリプロピレン）、ＰＳ（ポリスチレン）、ＰＴＦＥ（ポリテトラフルオロエチレン）、ＰＥＥＫ（ポリエステルエーテルケトン）等を使用できる。
【００２５】
本発明に係る格子パネルの別の組立用治具９は、図４（ａ）に示すようにＬ字の係止部１１を底辺部片１０よりも長くしてもよいし、図４（ｂ）に示すようにＬ時の係止部１１の角部が分割されていても良い。また、格子パネル１を取り付ける建築物の制約によって格子状部材１の角部側の孔部が使用できない場合、格子状部材１の角部により近く使用できる格子パネルの孔部に基本の組立用治具９を２分割した図４（ｃ）に示すような組立用治具９を使用してもよい。
【００２６】
次に、以下添付図面に従って、本発明の格子パネルの組立方法の好ましい実施の形態について詳説する。
【００２７】
まず、従前のとおり、格子状部材３は、格子状部材３の格子内に係合具５を嵌挿し、この係合具５を躯体等の取付部８とボルト６等の止着手段によって連結して固定される（図６参照）。次に、格子状部材３の取付部８と反対側の面に両面接着テープ７を貼り付ける（図７参照）。
【００２８】
次に図１に示すように、格子パネル１の組立用治具９を格子状部材３の１つの角部側の格子の孔部に、台座部１２を組立用治具９の係止部１１が角部側の外方になるようにして嵌合させ、組立用治具９が嵌合された部分以外の格子用部材３に貼り付けられた両面接着テープ７の離形紙を剥がす。
【００２９】
次に、組立用治具９の底面部片１０に平板４の１つの角部を位置させるとともに、組立用治具９の係止部１１に前記平板４の角部の２辺の端面を当接させ、平板４の角部を仮支させながら、両面接着テープを介して平板４を格子用部材３に止着させる。平板４は、組立用治具９の周辺部では底辺部片１０に厚みがあるため止着されない。
【００３０】
次に、組立用治具９に仮支されている平板４の角部を持ち上げ、平板４を撓ませて、組立用治具９を取り外すとともに、取り外された部分の格子状部材３に貼り付けられた両面接着テープ７の離形紙を剥し、持ち上げた平板４の角部を格子状部材３に止着させる。
【００３１】
なお、両面接着テープ７を貼り付ける前に、格子パネル１の組立用治具９を格子状部材３の１つの角部側の格子の孔部に嵌合させた後、組立用治具９が嵌合された部分以外の格子用部材３に両面接着テープ７を貼り付けてもよい。この場合は、組立用治具９を取り外す際、取り外された部分の格子状部材３に両面接着テープ７を貼り付け、離形紙を剥し、持ち上げた平板４の角部を格子状部材３に止着させる。
【００３２】
このようにして格子パネル１を組み立てることにより、位置決めがずれて一度両面接着テープに貼り付いた平板を両面接着テープから剥したりすることがないので、平板を両面接着テープから剥がす際に生じる両面接着テープのロスや平板が損傷したりする仕損がない。また格子状部材と平板の位置決め作業が容易で、かつ位置決めミスによるやり直しがないので、施工現場での作業時間の短縮が図れる。
【産業上の利用可能性】
【００３３】
本発明の格子パネルは、建物の床材や階段の踏板材、天井材、壁材、テーブルの板材や排水溝の蓋材等の建築用部材として適用可能であり、また本発明の格子パネルの組立用治具は、角部側に貫通孔または穴を有する部材の上部に平板を容易に位置決めさせ、組み付ける組立用治具として、板材の材質を問わずに適用可能である。この場合、部材は格子状の板材に限らず、貫通孔または穴を有するブラケット、梁、あるいは鉄筋コンクリートや方立て、Ｈ鋼等の建築構造体を使用できる。
【図面の簡単な説明】
【００３４】
【図１】本発明に係る格子パネルの組立用治具および組立方法の概略投射図
【図２】本発明に係る格子パネルの組立用治具および組立方法の概略断面図
【図３】本発明に係る格子パネルの組立用治具の詳細図
【図４】本発明に係る格子パネルの別の組立用治具の投射図
【図５】本発明に係る格子パネルの組立断面図
【図６】格子パネルの取付方法の説明図
【図７】格子パネルの取付方法の説明図
【図８】格子パネルの取付方法の説明図
【符号の説明】
【００３５】
１：格子パネル、２：リブ、３：格子状部材、４：天板、５：係合具、６：ボルト、
７：両面接着テープ、８：取付部、９：組立用治具、１０：底面部片、１１：係止部、
１２：台座部
【図１】
2007205031.tif 000003
【図２】
2007205031.tif 000004
【図３】
2007205031.tif 000005
【図４】
2007205031.tif 000006
【図５】
2007205031.tif 000007
【図６】
2007205031.tif 000008
【図７】
2007205031.tif 000009
【図８】
2007205031.tif 000010